(57)【要約】【課題】合理的にストラップを固定して、タンクキャップを紛失しないようにする。【解決手段】本発明の送風式薬剤散布機１は、タンク６の薬剤を送風機３の空気流と混合して散布する送風式薬剤散布機１であって、送風機３の空気流の一部をタンク６へ導入する加圧管５と、タンク６の薬剤の投入口２２に対して取り外し可能に装着されるタンクキャップ１２と、タンクキャップ１２を加圧管５に連結するストラップ３１と、を有する。【選択図】図３
2013090592.tif 000002
【特許請求の範囲】
【請求項１】
タンクの薬剤を送風機の空気流と混合して散布する送風式薬剤散布機であって、
前記送風機の空気流の一部を前記タンクへ導入する加圧管と、
前記タンクの薬剤の投入口に対して取り外し可能に装着されるタンクキャップと、
前記タンクキャップを前記加圧管に連結するストラップと、
を有する
送風式薬剤散布機。
【請求項２】
前記加圧管は、前記タンク内に突出する部分を有し、
前記ストラップは、
前記加圧管の前記タンク内に突出する部分と前記タンクキャップとを、前記タンク内で連結する
請求項１記載の送風式薬剤散布機。
【請求項３】
前記加圧管は、
前記タンクを貫通する連結管と、
前記タンク内で前記連結管が挿入されるホースと、
を有し、
前記ストラップは、
その一端に、前記タンク内で前記連結管が挿入されるリング部を有し、
前記リング部は、
前記連結管が挿入された状態において前記タンクと前記ホースとの間に挟まれることにより、前記連結管に保持される
請求項１記載の送風式薬剤散布機。
【請求項４】
前記加圧管は、
前記ホースについての前記連結管が挿入される部分に装着されて前記ホースを前記連結管に固定するホースクランプを有し、
前記ホースクランプは、
前記リング部に隣接している、前記ホースについての前記連結管が挿入される部分を被覆する
請求項３記載の送風式薬剤散布機。
【請求項５】
前記ホースクランプは、当該ホースクランプを広げる一対のツマミを有し、
前記一対のツマミは、当該一対のツマミにより広げられる前記ホースクランプの装着部より幅広に形成され、
前記リング部は、前記一対のツマミの間に位置する
請求項４記載の送風式薬剤散布機。
【請求項６】
前記投入口および前記連結管は、前記タンクの上部に隣接して設けられ、
前記連結管は、前記タンク内で下方へ突出する
請求項３記載の送風式薬剤散布機。
【発明の詳細な説明】
【技術分野】
【０００１】
本発明は、液体や粉体のような薬剤を送風機の空気流と混合して散布する送風式薬剤散布機に関する。
【背景技術】
【０００２】
薬剤をタンクに入れ、送風機の空気流と混合して散布する薬剤散布機が知られている（たとえば特許文献１）。
【先行技術文献】
【特許文献】
【０００３】
【特許文献１】米国特許２００９／０００８４７３号公報（ＵＳ２００９／０００８４７３  Ａ１）
【発明の概要】
【発明が解決しようとする課題】
【０００４】
ところで、薬剤散布機では、タンクから薬剤が漏れぬようにタンクキャップを装着し、さらにタンクキャップを紛失することがないようにタンクキャップにストラップを取り付けることが考えられる。
この場合、ストラップは、別途新たに設ける固定部材に固定したり、タンクの底のストレーナに固定したりすればよい。
しかしながら、固定部材を別途新たに設ける場合、装置のコストアップにつながる。
また、タンクの底のストレーナに固定する場合、ストラップが長くなる。長いストラップは、タンク内で引っ掛かったり、絡まったりしやすい。
【０００５】
このように送風式薬剤散布機では、合理的にストラップを固定する課題が残る。
【課題を解決するための手段】
【０００６】
本発明の送風式薬剤散布機は、タンクの薬剤を送風機の空気流と混合して散布する送風式薬剤散布機であって、送風機の空気流の一部をタンクへ導入する加圧管と、タンクの薬剤の投入口に対して取り外し可能に装着されるタンクキャップと、タンクキャップを加圧管に連結するストラップと、を有する。
【０００７】
好適には、加圧管は、タンク内に突出する部分を有し、ストラップは、加圧管のタンク内に突出する部分とタンクキャップとを、タンク内で連結してよい。
【０００８】
好適には、加圧管は、タンクを貫通する連結管と、タンク内で連結管が挿入されるホースと、を有し、ストラップは、その一端に、タンク内で連結管が挿入されるリング部を有し、リング部は、連結管が挿入された状態においてタンクとホースとの間に挟まれることにより、連結管に保持されてよい。
【０００９】
好適には、加圧管は、ホースについての連結管が挿入される部分に装着されてホースを連結管に固定するホースクランプを有し、ホースクランプは、リング部に隣接している、ホースについての連結管が挿入される部分を被覆してよい。
【００１０】
好適には、ホースクランプは、当該ホースクランプを広げる一対のツマミを有し、一対のツマミは、当該一対のツマミにより広げられるホースクランプの装着部より幅広に形成され、リング部は、一対のツマミの間に位置してよい。
【００１１】
好適には、投入口および連結管は、タンクの上部に隣接して設けられ、連結管は、タンク内で下方へ突出してよい。
【発明の効果】
【００１２】
本発明では、タンクに加圧管を有し、タンクキャップがストラップにより加圧管に連結される。
よって、本発明では、薬剤を好適に散布できるとともに、加圧機能を持った部分でストラップを固定でき、費用対効果が向上する。また、加圧管に固定するので、ストラップを短くできる。
【図面の簡単な説明】
【００１３】
【図１】図１は、本発明の実施形態に係る送風式薬液散布機の斜視図である。
【図２】図２は、図１の送風式薬液散布機の主要機能を説明する図である。
【図３】図３は、図１のタンクの模式的な断面図である。
【図４】図４は、図３のタンクキャップの分解図である。
【図５】図５は、図３の加圧管のタンク取り付け部分の分解図である。
【図６】図６は、図３の加圧管およびタンクキャップについてのタンクへの取り付け状態を説明する図である。
【図７】図７は、図３の加圧管とタンクキャップとの連結状態を説明する図である。
【発明を実施するための形態】
【００１４】
図１は、本発明の実施形態に係る送風式薬液散布機１の斜視図である。
図２は、図１の送風式薬液散布機１の主要機能を説明する図である。
図１の送風式薬液散布機１は、エンジン２、送風機３、送風管４、加圧管５、タンク６、供給管７、混合部８を有する。
ユーザは、送風式薬液散布機１を背負い、送風管４を持って使用する。
タンク６に貯蔵された薬液は、送風管４の空気流と混合されて霧状化し、空気流とともに送風管４から吹き出され、農地などに散布される。
【００１５】
タンク６は、たとえばプラスチック材料で形成された薬液の収容容器であり、送風式薬液散布機１のフレーム９の正面側に配置される。タンク６の正面は、背当て面１０となる。これにより、タンク６は、背負枠として機能する。背当て面１０には、二本の背負いベルト１１が取り付けられる。ユーザは、背負いベルト１１に腕を通し、背当て面１０が背中に当たる状態で、送風式薬液散布機１を背負う。
タンク６の上面には、薬液の投入口２２に対して、タンクキャップ１２が取り外し可能に取り付けられる。タンクキャップ１２を開けて、タンク６の投入口２２から薬液を入れる。タンクキャップ１２を閉じて、タンク６を密閉する。密閉されたタンク６は、送風機３の空気流で加圧できる。
【００１６】
送風機３およびエンジン２は、空気流を発生するものであり、フレーム９の下部に配置される。エンジン２の替わりにモータを使用してよい。エンジン２は、送風機３を回転駆動する。駆動された送風機３は、内蔵するファンで外気を吸引し、空気流を発生する。
【００１７】
送風管４は、空気流を放出するものであり、送風機３に接続される。送風管４は、送風機３側から順番に、蛇腹管１３、円筒直管１４、先端絞り管１５を有する。円筒直管１４には、ユーザが把持するハンドル１６が設けられる。蛇腹管１３により、送風管４を曲げることができる。ユーザは、送風式薬液散布機１を背負った状態で、送風管４の向きを調整できる。
送風機３の空気流は、送風管４を通じて、先端絞り管１５から外へ放出される。
【００１８】
加圧管５は、タンク６内を加圧する空気を、送風機３からタンク６へ供給するものであり、送風機３とタンク６との間に接続される。
特に、本実施形態では、加圧管５は、タンク６を貫通する。図１に示すように、加圧管５は、タンク６の上面を貫通する。加圧管５は、タンクキャップ１２と並べてタンク６の上面に配置される。
加圧管５についてのタンク６の外側部分は、送風機３に接続される。
加圧管５についてのタンク６の内側部分は、図３に示すように、タンク６の底面に届く。加圧管５の内側部分の先端には、逆止弁を内蔵した噴出部１７が接続される。
送風機３の空気流の一部は、加圧管５を通じてタンク６内に供給される。空気流は、噴出部１７からタンク６内へ噴出する。この空気流により、タンク６は加圧される。タンク６の底面上の噴出部１７から空気を吹き出すことにより、タンク６内の薬液を好適に撹拌できる。噴出部１７がタンク６の底面上を移動することで、タンク６の底面に薬液が沈殿し難くなる。
【００１９】
供給管７は、タンク６の薬液を送風管４へ供給するものであり、タンク６と混合部８との間に接続される。供給管７の途中には、円筒直管１４のハンドル１６の横に固定された開閉弁１９が設けられる。
供給管７は、タンク６の底面横の側部に形成された供給口１８に接続される。タンク６の供給口１８には、供給管７と一体化されたストレーナ２３がタンク６内部に突出する。
【００２０】
混合部８は、送風管４の空気流に薬液を混合するものであり、送風管４の円筒直管１４と先端絞り管１５との間に接続される。
混合部８は、図２に示すように、絞り部２０を有する。絞り部２０は、供給された空気流についてベンチュリ効果を発揮する。供給管７の他端に接続されたノズル２１の先端は、絞り部２０の上流側に配置される。タンク６から供給される薬液は、ノズル２１から吐出され、絞り部２０において霧状になる。
【００２１】
使用時には、ユーザは、タンク６に薬液を入れた送風式薬液散布機１を背負い、ハンドル１６を把持する。ユーザは、開閉弁１９のコックを開き、ハンドル１６のレバーを操作してエンジン２および送風機３を操作する。これにより、ミスト化された薬液が送風管４の先端から吹き出す。ユーザは、送風管４の向きを調整して、薬液を所望の土地に散布できる。
保管時には、ユーザは、送風式薬液散布機１を床に置く。また、蛇腹管１３により、送風管４を曲げて立てておくことができる。立てた送風管４の先端および混合部８は、タンク６より上に位置する。開閉弁１９のコックを閉じ忘れたとしても、ノズル２１からタンク６の薬液が漏れ出さない。
【００２２】
ところで、この送風式薬液散布機１では、タンク６を加圧することで、タンク６から送風管４へ薬液を良好に供給している。
本実施形態では、図３に示すように、タンクキャップ１２を、ストラップ３１によりタンク６に連結する。
図３は、図１のタンク６の模式的な断面図である。図３の断面は、タンク６の背当て面１０に沿った断面である。
【００２３】
図４は、図３のタンクキャップ１２の分解図である。
図５は、図３の加圧管５のタンク取り付け部分の分解図である。
図６は、図３の加圧管５およびタンクキャップ１２についてのタンク６への取り付け状態を説明する図である。
図７は、図３の加圧管５とタンクキャップ１２との連結状態を説明する図である。
【００２４】
図４から図７に示すように、ストラップ３１は、タンクキャップ１２を加圧管５に連結する。
ストラップ３１は、たとえば複数のボール部材を連結したチェーン部３２と、チェーン部３２の両端に取り付けられた一対のリング部３３，３４と、を有する。
リング部３３，３４は、たとえば平板に貫通孔３５を形成したものである。
【００２５】
一方のリング部３３は、図４に示すように、ボス４２とワッシャ４３との間に挟まれて、タンクキャップ１２のキャップ本体４１に対して、ネジ４４により、ねじ止めされる。
ねじ止めされた一方のリング部３３は、図６に示すように、ネジ４４の周囲で回転できる。着脱のためにタンクキャップ１２をタンク６に対して回転させたとしても、一方のリング部３３は、タンクキャップ１２に追従して回転し難くなる。ストラップ３１は、引っ張られたり、よれたりし難くなる。
【００２６】
他方のリング部３４は、図５に示すように、加圧管５のタンク取り付け部分に接続される。
図５の加圧管５は、ホース５１、ホースクランプ５２、Ｌ型の連結管５３、パッキン５４、ホース５５、ホースクランプ５６、を有する。
【００２７】
Ｌ型の連結管５３は、たとえばプラスチック材料からなる外側管５７と内側管５８とがＬ字型に接続されたものである。外側管５７と内側管５８とは、直管となるように接続されてよい。
内側管５８は、ゴム製のパッキン５４の貫通孔に挿入される。内側管５８の先端部は、パッキン５４から突き出る。
パッキン５４は、図６に示すように、タンク６の上面の取り付け孔６１に嵌め合わされる。これにより、Ｌ型の連結管５３は、タンク６の上面に固定される。この固定状態において、外側管５７は、タンク６の外において水平に延在する。内側管５８は、タンク内において下向きに突出する。
図５に示すように、外側管５７は、ホース５１の一端に挿入される。ホース５１の他端は、送風機３に接続される。
図６に示すように、ホース５１の一端は、ホースクランプ５２に挿入される。ホースクランプ５２は、ホース５１を外側管５７に固定する。
【００２８】
図５に示すように、内側管５８は、ホース５５の一端に挿入される。ホース５５の他端は、噴出部１７に接続される。
図６に示すように、ホース５５の一端は、ホースクランプ５６に挿入される。ホースクランプ５６は、ホース５５を内側管５８に固定する。
【００２９】
ホースクランプ５６は、図５に示すように、ホース５５が挿入される環状の装着部５９と、当該装着部５９を押し広げる一対のツマミ６０と、を有する。
ホースクランプ５６は、たとえば長尺の平板の両端部分を一対のツマミ６０とし、その間の部分を環状の装着部５９とするように形成することにより、形成できる。
図５に示すツマミ６０は、装着部５９より幅広に形成される。
そして、図５に示すように、ホースクランプ５６の環状の装着部５９の内周は、ホース５５の外周より若干小さく成形される。これにより、ホースクランプ５６は、ホース５５に装着した際に、ホース５５の抜け止めとして機能する。
また、ホースクランプ５６をこのような形状とした場合、ホース５５に装着した際に、一対のツマミ６０の間隔が広がる。図６に示すように、ストラップ３１の他方のリング部３４は、ホースクランプ５６の一対のツマミ６０の間に位置する。ストラップ３１のチェーン部３２は、一対のツマミ６０の間に垂れ下がる。
また、ホース５５に装着したホースクランプ５６は、ホース５５の上縁部の外周を被覆する。本実施形態では、ホース５５の上縁部にストラップ３１の他方のリング部３４が当たるが、ホースクランプ５６により被覆されることにより、ホース５５の上縁部が痛み難くなる。
【００３０】
図５に示すように、ストラップ３１の他方のリング部３４の貫通孔３５の内径ＤＳは、ホース５５の外径より小さい。
これにより、図６のようにホース５５を内側管５８に固定した状態において、パッキン５４とホース５５との間に挟まれた他方のリング部３４は、内側管５８からホース５５へ脱落しなくなる。
他方のリング部３４は、Ｌ型の連結管５３の内側管５８が挿入された状態において、タンク６とホース５５との間に挟まれて保持される。
【００３１】
以上の構成により、本実施形態のタンクキャップ１２は、図７に示すように、ストラップ３１により加圧管５に連結される。そして、図６に示すように、加圧管５は、タンク６の上面に固定される。
これにより、タンクキャップ１２は、タンク６に連結される。
タンクキャップ１２は、タンク６から取り外されたとしても、紛失しなくなる。
また、タンクキャップ１２は、直接的には加圧管５に連結されている。よって、タンク６にストラップ３１の接続部分を別途形成する必要がない。
また、タンクキャップ１２をタンク６内で連結している。このため、使用時には、ストラップ３１がタンク６に収容される。これに対して、タンク６の外で連結した場合、ストラップ３１が使用時に露出して木の枝などに引っ掛かる可能性がある。
【００３２】
本実施形態では、ストラップ３１の他方のリング部３４は、連結管５３が挿入された状態においてパッキン５４（タンク６の上面）とホース５５との間に挟まれる。
他方のリング部３４は、連結管５３からホース５５へ脱落しなくなり、連結管５３に保持される。
ホース５５の上縁部の外周は、ホースクランプ５６により被覆される。よって、ホース５５の上縁部に対してストラップ３１の他方のリング部３４が当たって擦れることがあったとしても、ホース５５の上縁部は傷み難い。
ホースクランプ５６は、環状の装着部５９より幅広に形成された一対のツマミ６０を有する。よって、この一対のツマミ６０の間に、ストラップ３１の他方のリング部３４を位置させることにより、他方のリング部３４の可動範囲を規制できる。他方のリング部３４が回転することがなくなり、ストラップ３１のチェーン部３２がホース５５に絡みつき難くなる。
タンクキャップ１２と加圧管５の連結管５３とは、タンク６の上面に並べて配置される。また、ストラップ３１の他方のリング部３４は、タンク６内で下方へ突出した連結管５３の内側管５８に保持される。
よって、取り外したタンクキャップ１２を引っ張ったとしても、その殆どの力は連結管５３の内側管５８に作用し、ホース５５に作用する力は非常に小さくなる。特に、ゴム製のパッキン５４により連結管５３をタンク６に固定しているので、このゴム製のパッキン５４がストラップ３１に作用する力を吸収する。その結果、ストラップ３１が切れ難くなる。
【００３３】
以上の実施形態は、本発明の好適な実施形態の例であるが、本発明はこれに限定されるものではなく、発明の要旨を逸脱しない範囲において種々の変形または変更が可能である。
【００３４】
たとえば上記実施形態では、ホースクランプ５６を使用して、ホース５５を連結管５３の内側管５８に固定している。ホース５５と内側管５８との嵌め合わせが良い場合、ホースクランプ５６を使用しなくてよい。
連結管５３は、パッキン５４によりタンク６に固定される。この他にもたとえば、連結管５３をタンク６に直接固定してもよい。また、連結管５３をタンク６と一体に形成してもよい。連結管５３は、タンク６の上面以外の面、たとえば側面に取り付けられまたは形成されてもよい。
【００３５】
上記実施形態では、ストラップ３１の他方のリング部３４は、Ｌ型の連結管５３の内側管５８が挿入され、パッキン５４（またはタンク６）とホース５５との間に配置される。
この他にもたとえば、他方のリング部３４は、Ｌ型の連結管５３の外側管５７が挿入され、Ｌ型の連結管５３の外側管５７とホース５１との間に配置してよい。
また、上記実施形態では、タンク６には、薬液を入れている。この他にもたとえば、タンク６に粉体の薬剤を入れてもよい。このような粉体の薬剤のタンク６においても、加圧管５を設け、この加圧管５にストラップ３１を固定することができる。
【符号の説明】
【００３６】
１…送風式薬液散布機（送風式薬剤散布機）
３…送風機
６…タンク
５…加圧管
１２…タンクキャップ
２２…投入口
３１…ストラップ
３４…他方のリング部
５５…ホース
５６…ホースクランプ
５８…内管
５９…装着部
６０…ツマミ
【図１】
2013090592.tif 000003
【図２】
2013090592.tif 000004
【図３】
2013090592.tif 000005
【図４】
2013090592.tif 000006
【図５】
2013090592.tif 000007
【図６】
2013090592.tif 000008
【図７】
2013090592.tif 000009